(57)【特許請求の範囲】
【請求項１】
フロント用の前板を有するケース身とこのケース身と結合するケース蓋とから成る錠箱内に電装部品が固定的に配設されている電気錠用錠箱の防水構造に於いて、前記電装部品の少なくとも上に相当する錠箱の上壁に開口部分を形成し、この開口部分にその上面が傾斜状或いはアール形状の屋根部分を有する栓体としての弾性防水片を固定的に圧入させ、該弾性防水片の前面が前記フロント用の前板の内壁面に密着していることを特徴とする電気錠用錠箱の防水構造。
【請求項２】
フロント用の前板を有するケース身とこのケース身と結合するケース蓋とから成る錠箱内に電装部品が固定的に配設されている電気錠用錠箱の防水構造に於いて、前記電装部品の少なくとも上に相当する前記錠箱の左右の上壁にフロント用の前板の内壁面に至る切欠状の開口部分を形成し、この開口部分にその前面が前記フロント用の前板の内壁面に密着する弾性防水片の圧入部を圧入し、前記開口部分を形成する前記上壁の対向開口縁は、前記弾性防水片の左右側壁の水平嵌合溝にそれぞれ密着状態に嵌まり込み、また、該圧入部に連設すると共に前記開口部分の上辺に支持される鍔部を有し、かつその上面が傾斜状或いはアール形状の屋根部分は、前記上壁から突出していることを特徴とする電気錠用錠箱の防水構造。
【発明の詳細な説明】
【技術分野】
【０００１】
本発明は、電気錠用錠箱の防水構造に関する。
【背景技術】
【０００２】
特許文献１には、「前面を開口部６とした角形の収納用箱体１と、この収納用箱体１の前面を覆う前板部１２ａに屋根板部１２ｂを続かせた断面逆Ｌ形の主カバー部１２を有する覆蓋体１１から成り、前記覆蓋体１１を収納用箱体１に対して前記主カバー部１２で収納用箱体１の上面から前面にわたる部分が覆われるように被せて施蓋するようにした電気機器収納用箱」が開示されている（符号は特許文献１のもの）。
【０００３】
そして、この特許文献１には、さらに、覆蓋体１１の主カバーの上壁１２ｂの下面と箱体１の天板部４の上面との間に間隙Ｓができるように、前記天板部４を屋根の如くやや傾斜状に形成する旨が図面（例えば図３）と共に記載されている（段落０００８）。
【０００４】
したがって、特許文献１の電気機器収納用箱は、接合部を全溶接する必要もなく、また、特殊なシール処理を天板部４に施す必要もないという利点がある。
【０００５】
しかしながら、特許文献１には、箱体の防水構造を電気錠用錠箱に適用できる旨の記載や示唆がなく、また、特許文献１の防水構造では、覆蓋体１１が断面逆Ｌ形に形成されており、かつ一側開口の箱体の上面から前面にわたる部分を全て覆う構造体であることから、扉に対する錠箱の取付け面、コスト面、体裁面、覆蓋体１１の装着面等を考慮すると、そのまま電気錠用錠箱に適用するには不向きであるという問題点がある。
【特許文献１】特開平１０−１９０２４８号公報
【発明の開示】
【発明が解決しようとする課題】
【０００６】
本発明の所期の目的は、電気錠用錠箱に内装される電装部品（例えばマイクロスイッチ）を、錠箱の外部から内部へと侵入する水分から保護することである。第２の目的は、（ａ）錠箱の上壁開口の縁部に対する密着性、（ｂ）頭部の形状が水はけに優れている形状適合性、（ｃ）上壁開口に対する取付け容易性、（ｄ）そして、安価性、耐久性等の各要素を十分に満たすことができることである。
【課題を解決するための手段】
【０００７】
本発明の電気錠用錠箱の防水構造は、フロント用の前板３を有するケース身１とこのケース身と結合するケース蓋２とから成る錠箱内に電装部品が固定的に配設されている電気錠用錠箱の防水構造に於いて、前記電装部品１１の少なくとも上に相当する錠箱Ｘの上壁８（８Ａ、８Ｂ）に開口部分９（９Ａ）を形成し、この開口部分にその上面が傾斜状或いはアール形状の屋根部分２１を有する栓体としての弾性防水片を固定的に圧入させ、該弾性防水片の前面が前記フロント用の前板の内壁面に密着していることを特徴とする。
【０００８】
また、本発明の電気錠用錠箱の防水構造は、フロント用の前板を有するケース身とこのケース身と結合するケース蓋とから成る錠箱内に電装部品が固定的に配設されている電気錠用錠箱の防水構造に於いて、前記電装部品１１の少なくとも上に相当する前記錠箱Ｘ１の左右の上壁８Ａ、８Ｂにフロント用の前板の内壁面に至る切欠状の開口部分９Ａを形成し、この開口部分にその前面が前記フロント用の前板３の内壁面に密着する弾性防水片Ｙ１の圧入部２２Ａを圧入し、前記開口部分を形成する前記上壁８Ａ、８Ｂの対向開口縁６ａ、２ａは、前記弾性防水片Ｙ１の左右側壁２２ａの水平嵌合溝２７にそれぞれ密着状態に嵌まり込み、また、該圧入部２２Ａに連設すると共に前記開口部分の上辺に支持される鍔部ｂを有し、かつその上面が傾斜状或いはアール形状の屋根部分２１は、前記上壁８Ａ、８Ｂから突出していることを特徴とする。
【発明の効果】
【０００９】
（１）電気錠用錠箱に内装される電装部品（例えばマイクロスイッチ）を、錠箱の外部から内部へと侵入する水分から保護することができる。
（２）錠箱の上壁開口の縁部に対する密着性、頭部の形状が水はけに優れている形状適合性、上壁開口に対する取付け容易性、安価性、耐久性等の各要素を十分に満たすことができる。
（３）特に、フロントから伝わる水の侵入を防ぐことができる（防水性の向上）。また、弾性防水片Ｙを曲がらないように正しく取付けることができる（取付けの正確性）。
【発明を実施するための最良の形態】
【００１０】
以下、図１乃至図６に示す本発明を実施するための最良の形態（第１実施例）により説明する。
【００１１】
（１）発明の実施の環境
図１は発明の実施の環境を示す概略説明図である。図１に於いて、Ｘは電気錠用錠箱で、一方、Ｙは電気錠用錠箱Ｘに圧入装着した栓体としての弾性防水片である。本発明の錠箱の防水構造は、電気錠用錠箱Ｘと弾性防水片Ｙとの組み合わせから成る。以下、本発明の特定要件について順次説明する。
【００１２】
（２）電気錠用錠箱Ｘ
電気錠用の金属製錠箱Ｘは、周知のように前板を有するケース身と、このケース身に結合するケース蓋とから構成され、前記前板にはフロントが固着具を介して固定されている。
【００１３】
そこで、まず、図１乃至図３を参照にして、電気錠用錠箱Ｘ（以下、「錠箱Ｘ」という。）の構成を簡単に説明する。１はケース身、２はケース蓋、３はフロント用の前板、４はフロントである。ケース身１又はケース蓋２の形状は任意に設計することができるが、普通一般に、ケース身１は、図１で示すように、手前側の幅広側面が矩形状に開口５した角型ケース枠体となっており、ケース蓋２はこの開口５を閉鎖する。
【００１４】
ここで説明の便宜上、電気錠の各構成部材を収納するケース身１の各壁に符号を付す。なお、底壁、前板の下部、後壁の下部等の細部的事項は省略してある。
符号６はケース身１の幅広側壁で、この幅広側壁６は矩形板状のケース蓋２と対向する。７はケース身１の後壁で、この後壁７は幅広側壁６の端部を直角に折り曲げて形成されている。そして、８がケース身１の上壁である。
【００１５】
本実施例では、この上壁８の先端部に前板３の内壁面３ａに至る切欠状の開口部分９を形成し、この開口部分９に屋根部分を有する弾性防水片Ｙが密閉状態に嵌め込まれる。
【００１６】
ところで、前記開口部分９の形状は、図２及び図３で示すように、実施例ではケース身１の幅広側壁６の内側縁６ａ、ケース身２の内側縁２ａ、前板３の内壁面３ａ及び該内壁面３ａと対向する開口部分９の切欠端面９ａにより平面視矩形状に画定されているが、上壁８の切欠態様によっては、その大きさや形状は任意に変わる。したがって、開口部分９の形成部位（上壁８）は別として、その大きさや形状は、発明の本質的事項ではない。
【００１７】
（３）電気錠の構成部材
電気錠の構成部材の詳細は割愛している。図１を参照にして主な部材を説明すると、１１は電装部品、例えばマイクロスイッチで、この電装部品１１は上壁８の先端部の開口部分９の真下に所要空間を有して固定的に配設されている。電装部品１１の詳細説明も割愛するが、電装部品１１は、例えば前板３の内壁面３ａに固定した断面ハット型形状の下部支持部材１２及び幅広側壁６の内壁上部に横設したピン状の上部支持部材１３に支持されている。
【００１８】
したがって、前記下部支持部材１２及び上部支持部材１３も開口部分９の真下に配設されている。なお、符号１４は電装部品１１に電気的に接続する配線手段で、この配線手段１４は上壁８の後端部の切欠を介して錠箱Ｘの外へと導かれ、その外端部には、図示しない防水コネクターが設けられている。
【００１９】
（４）弾性防水片Ｙ
図２は弾性防水片Ｙの斜視図、図１及び図３は弾性防水片Ｙを錠箱Ｘの開口部分９に圧入固定した状態の各概略説明図である。その他の図は、弾性防水片Ｙの平面視、右側面図等である。
【００２０】
さて、弾性防水片Ｙは、弾性ゴム或いは弾性の合成樹脂材で外観上家型形態に形成されている。図２で示す弾性防水片Ｙの形態は家型形状の一例であり、もちろん、この形状に限定されるものではない。要は、弾性防水片Ｙは、その機能の面から考察すると、（ａ）錠箱Ｘの開口部分９の縁部に密着する密着性、（ｂ）上面或いは頭部の形状が水はけに優れている形状適合性、（ｃ）開口部分９に対する取付けが簡単な装着容易性、（ｄ）そして、安価性等が望まれる。
【００２１】
（５）弾性防水片Ｙの具体的構成
弾性防水片Ｙは、例えば弾性ゴムで、かつ家型ブロック状に形成され、上壁８の開口部分９に栓的に圧入される。しかして、２１は少なくとも開口部分９の一部と、該開口部分９を形成するケース身１の幅広側壁６の上辺の内側縁６ａを含む開口上辺一部と、ケース蓋２の内側縁２ａを含む開口上辺一部をそれぞれカバーする屋根部分である。この屋根部分２１の上面は、例えば図５の縦断面を参照にすると、中央頂部ａを基準にして鈍角状態で左右均等に傾斜する傾斜面となっている。もちろん、屋根部分２１の傾斜面は、特に図示しないが、「へ」の字形状、蒲鉾形状或いはアール形状等であっても良い。
【００２２】
また、屋根部分２１の左右の鍔状端部ｂ、ｂは、屋根部分２１に連設する角型圧入部２２の左右の側壁２２ａからそれぞれ突出している。これら鍔状端部ｂ、ｂは、図３で示すように、弾性防水片Ｙを上壁８の開口部分９に圧入すると、前述したケース身１及びケース蓋２の上辺に支持される。
【００２３】
次に、本実施例の弾性防水片Ｙは、例えば屋根部分２１及び角型圧入部２２の前面に連設する（続く）垂直状態の前板部分２３を有している。この前板部分２３の下部側（鍔状端部ｂの下面を基準）は、開口部分９の前方側を塞ぐ、一方、前板部分２３の上部側（屋根部分２１に続く部分）は、開口部分９或いは錠箱Ｘの上壁８から突出する。
【００２４】
しかして、弾性防水片Ｙを開口部分９に強制的に嵌め込むと、圧入部２２の左右の側壁２２ａは、図３で示すように開口部分９に嵌入すると同時に錠箱Ｘの内面に密着状態に圧接する。そして、圧入部２２が所定位置まで入り込むと、傾斜状の屋根部分２１は、その左右の鍔部ｂがケース身１及びケース蓋２の開口縁の上辺に支持されることから、錠箱Ｘの開口部分９或いは上壁８から突出する。また、図１で示すように、前板部分２３の前面２３ａは、錠箱Ｘの前板３の内面３ａに面接触状態に密着する。
【００２５】
ところで、本実施例の弾性防水片Ｙは、圧入される下端部（例えば角型圧入部２２）にケース身１の幅広側壁６と直交する上部支持部材１３用の下向切欠２４を有している。また、配線手段１４が嵌り合う第２の下向切欠２５が錠箱Ｘの前板３と交差する方向に有している。これらの下向切欠２４、２５は、電装部品１１の配設位置を考慮したものであるから、本発明の所期の目的との関係では、発明の本質的事項ではない。
【実施例】
【００２６】
発明の実施の形態で示した第１実施例の弾性防水片Ｙは、ケース身１とケース蓋２とを複数個の固着具を介して一体的に結合した後に、上壁８の先端部側の開口部分９に圧入するものである。
【００２７】
しかしながら、第２実施例に相当する図７及び図８で示すように、ケース身１Ａとケース蓋２Ｂとを複数個の固着具を介して一体的に結合する際、家型形状の弾性防水片Ｙ１を、該ケース身１Ａとケース蓋２Ｂとの結合によって形成される切欠状の開口部分９Ａの開口縁６ａ、２ａ、９ａ内に、左右の側壁２２ａ等に水平嵌合溝２７を有する圧入部２２Ａを位置付けた上で、該圧入部２２Ａをケース身１Ａとケース蓋２Ｂの前記開口縁６ａ、２ａ、９ａで挟み付けるようにしても良い。
【００２８】
この第２実施例の錠箱Ｘ１は、少なくとも該ケース身１Ａの上壁８Ａ側の開口縁６ａと、ケース蓋２Ｂの上壁８Ｂ側の開口縁２ａとを弾性防水片Ｙ１の圧入部２２Ａの嵌合溝２７に嵌め込んで密着状態に挟持する必要があることから、錠箱Ｘ１の前記上壁８Ａ、８Ｂは二分割状態となっている。
【００２９】
したがって、第２実施例の電気錠用錠箱の防水構造は、電装部品１１の少なくとも真上に相当する錠箱Ｘ１の左右の上壁８Ａ、８Ｂに切欠状の開口部分９Ａを形成し、この開口部分を形成する前記上壁８Ａ、８Ｂの対向開口縁６ａ、２ａは、弾性防水片Ｙ１の圧入部２２Ａの左右側壁２２ａの水平嵌合溝２７にそれぞれ密着状態に嵌まり込み、また、該圧入部２２Ａに連設すると共に、前記開口部分の上辺に支持される鍔部ｂを有し、かつその上面が傾斜状或いはアール形状の屋根部分２１は、前記上壁８Ａ、８Ｂから突出していることを特徴とする。
【００３０】
このように構成しても第１実施例と同様に効果がある。なお、この第２実施例に於いて、第１実施例の構成と同一の部分には同一の符号を付して重複する説明を省略する。また、本実施例に於いて、弾性防水片Ｙ、Ｙ１は、錠箱Ｘ、Ｘ１の上壁の一部の開口部分９、９Ａに圧入固定又は挟持固定されているが、もちろん、錠箱Ｘ、Ｘ１内に配設された電装部品１１の位置に対応して上壁の適宜部位に形成された開口部分９、９Ａの一部又は全部に対して栓体として装着される。
【産業上の利用可能性】
【００３１】
本発明は、主に錠前や建具の業界で利用される。
【図面の簡単な説明】
【００３２】
図１乃至図６は本発明の最良の実施例（第１実施例）を示す各説明図。図７及び図８は本発明の第２実施例を示す各説明図。
【図１】弾性防水片Ｙを錠箱Ｘの開口部分に圧入固定した状態の概略説明図。
【図２】弾性防水片Ｙの斜視図を含む主要部の概略説明図。
【図３】弾性防水片Ｙを錠箱Ｘの開口部分に圧入固定した状態の概略断面説明図。
【図４】弾性防水片Ｙの平面視からの説明図。
【図５】図４の５−５線断面説明図。
【図６】弾性防水片Ｙの右側面図。
【図７】第２実施例を示す概略説明図（ケース身とケース蓋の結合時）。
【図８】ケース身とケース蓋の開口縁で弾性防水片Ｙ１を密着状態に挟持した概略断面説明図。
【符号の説明】
【００３３】
Ｘ…錠箱、Ｙ、Ｙ１…弾性防水片、１、１Ａ…ケース身、２、２Ｂ…ケース蓋、３…フロント用前板、３ａ…内壁面、４…フロント、５…開口、６…幅広側壁、２ａ、６ａ、９ａ…内側縁（開口縁）、７…後壁、８、８Ａ、８Ｂ…上壁、９、９Ａ…開口部分、９ａ…切欠端面、１１…電装部品、１２…下部支持部材、１３…上部支持部材、１４…配線手段、２１…屋根部分、ａ…中央頂部、ｂ…鍔状端部（鍔部）、２２、２２Ａ…圧入部、２２ａ…左右の側壁、２３…前板部分、２３ａ…前面、２４…下向切欠、２５…第２の下向切欠、２７…水平嵌合溝。
【図１】
0005336064.tif 000002
【図２】
0005336064.tif 000003
【図３】
0005336064.tif 000004
【図４】
0005336064.tif 000005
【図５】
0005336064.tif 000006
【図６】
0005336064.tif 000007
【図７】
0005336064.tif 000008
【図８】
0005336064.tif 000009